(57)【要約】【課題】非加湿運転時における加湿、雑菌、カビなどの繁殖を抑えつつ、フィルタ面積を縮小せずに高い加湿効率が得られ、低コストで構成できる加湿装置を提供すること。【解決手段】シート材を蛇腹状に折り重ねた円板状の気化フィルタと、気化フィルタの一部を水に浸漬させる給水トレイと、気化フィルタを回転駆動するフィルタ回転モータ１９と、フィルタ回転モータ１９の回転を制御する制御部２７とを備え、フィルタ回転モータ１９により気化フィルタを回転させ、給水トレイの水で湿潤させた気化フィルタによって加湿を行う加湿装置であって、制御部２７は、非加湿運転時に、気化フィルタの折り線が給水トレイ内の水面と平行な状態となる位置で気化フィルタを停止させるように制御する。【選択図】        図２
2013204868.tif 000002
【特許請求の範囲】
【請求項１】
シート材を蛇腹状に折り重ねた円板状の気化フィルタと、前記気化フィルタの一部を水に浸漬させる給水トレイと、前記気化フィルタを回転駆動する駆動部と、前記駆動部の回転を制御する制御部とを備え、前記駆動部により前記気化フィルタを回転させ、前記給水トレイの水で湿潤させた前記気化フィルタによって加湿を行う加湿装置であって、
前記制御部は、非加湿運転時に、前記気化フィルタの折り線が前記給水トレイ内の水面と平行な状態となる位置で前記気化フィルタを停止するように制御することを特徴とする加湿装置。
【請求項２】
前記気化フィルタを収容保持する気化フィルタ収容器をさらに備え、
前記気化フィルタ収容器は、外周部に前記駆動部により駆動されるラック部と、回転中心となる回転軸部と、前記ラック部と前記回転軸部にまたがって配置される補強用の桟を有し、
前記桟に沿って板状のリブが設けられ、前記気化フィルタの折り重ね部分に前記リブを埋設しながら前記気化フィルタ収容器に収容することで、前記気化フィルタ収容器内における前記気化フィルタの位置決めを行い、
前記回転軸を回転可能に支持する軸受支持部とを備え、
前記回転軸と前記軸受支持部には、前記気化フィルタの停止位置を位置決めする位置決め機構が設けられていることを特徴とする請求項１に記載の加湿装置。
【請求項３】
前記気化フィルタの停止位置において、前記シート材における少なくとも前記給水トレイ内の水と接する部位の近傍に、水を吸い上げにくくする非湿潤加工を施したことを特徴とする請求項１または２に記載の加湿装置。
【発明の詳細な説明】
【技術分野】
【０００１】
本発明は、プリーツ型の気化フィルタの一部を水に浸し回転させながら空気の加湿を行う加湿装置に関する。
【背景技術】
【０００２】
従来、フィルタに水を供給して湿潤させた気化フィルタを回転させて空気を加湿する加湿装置が用いられている。また、加湿運転と加湿を伴わない送風運転とを適宜切り替えて行えるようにもなっている。この種の加湿装置は、気化フィルタの下部にフィルタを湿潤させる給水タンクを備えており、気化フィルタを給水タンクに浸漬させることで気化フィルタに水を供給するようになっている。また、フィルタおよび給水タンクを配置するスペースが限られているため、加湿運転停止中（送風運転中）もフィルタの一部が水に浸かったままの状態となるものがあった。
【０００３】
例えば、図１１−１は、シート材を蛇腹状に折り重ねて円板状にした気化フィルタの折り線が垂直方向で停止した場合の水の吸い上げ範囲例を示す図であり、図１１−２は、図１１−１のＹ−Ｙ線断面図である。
【０００４】
従来の加湿装置では、加湿運転停止時の気化フィルタの停止位置が決まっておらず、図１１−１および図１１−２に示すように、気化フィルタ１０の折り線１０ａが垂直方向の位置で停止した場合、水面ＬからＴ２の高さまで水を吸い上げ、湿潤領域１０ｅがフィルタの通風方向の投影面積内において広範囲に及ぶことがあった。このため、加湿運転を停止して送風運転に切り替えた後にも加湿状態が継続され、雑菌やカビなどの繁殖し易い環境になることがあった。
【０００５】
そこで、特許文献１に示す加湿装置にあっては、フィルタに浸水する浸水部と、浸水しない非浸水部とを設け、また、特許文献２に示す加湿装置にあっては、フィルタを楕円形状に形成している。そして、非加湿運転時には、特許文献１のフィルタの非浸水部を鉛直に配する位置で停止させ、また、特許文献２の楕円フィルタの短半径を鉛直に配する位置で停止させることで、フィルタが水を吸い上げないようにしている。
【先行技術文献】
【特許文献】
【０００６】
【特許文献１】特開２００９−８５５１１号公報
【特許文献２】特開２００８−６４４３３号公報
【発明の概要】
【発明が解決しようとする課題】
【０００７】
しかしながら、このような特許文献１にあっては、フィルタの中に非浸水部を設けたことで、フィルタ面積が小さくなり、加湿効率がその分低下するという問題があった。また、特許文献２の場合も同様であって、楕円フィルタの長半径が設けられるスペースに短半径のフィルタを形成しているため、その分フィルタ面積が小さくなって、加湿効率が低下するという問題があった。
【０００８】
また、特許文献１および２にあっては、フィルタを所定の位置で停止させるための構成にコストがかかるという問題があった。
【０００９】
本発明は、上記に鑑みてなされたものであって、非加湿運転時における加湿、あるいは雑菌やカビなどの繁殖を抑えつつ、フィルタ面積を縮小することなく高い加湿効率が得られ、低コストで構成できる加湿装置を提供することを目的とする。
【課題を解決するための手段】
【００１０】
上述した課題を解決し、目的を達成するために、本発明の加湿装置は、シート材を蛇腹状に折り重ねた円板状の気化フィルタと、前記気化フィルタの一部を水に浸漬させる給水トレイと、前記気化フィルタを回転駆動する駆動部と、前記駆動部の回転を制御する制御部とを備え、前記駆動部により前記気化フィルタを回転させ、前記給水トレイの水で湿潤させた前記気化フィルタによって加湿を行う加湿装置であって、前記制御部は、非加湿運転時に、前記気化フィルタの折り線が前記給水トレイ内の水面と平行な状態となる位置で前記気化フィルタを停止するように制御することを特徴とする。
【００１１】
また、本発明の加湿装置において、前記気化フィルタを収容保持する気化フィルタ収容器をさらに備え、前記気化フィルタ収容器は、補強用の桟を有し、前記桟に沿って板状のリブが設けられ、前記気化フィルタの折り重ね部分に前記リブを埋設しながら前記気化フィルタ収容器に収容することで、前記気化フィルタ収容器内における前記気化フィルタの位置決めを行い、前記気化フィルタ収容器の回転中心となる回転軸と、該回転軸を回転可能に支持する軸受支持部とを備え、前記回転軸と前記軸受支持部には、前記気化フィルタの停止位置を位置決めする位置決め機構が設けられていることを特徴とする。
【００１２】
また、本発明の加湿装置において、前記気化フィルタの停止位置において、前記シート材における少なくとも前記給水トレイ内の水と接する部位の近傍に、水を吸い上げにくくする非湿潤加工を施したことを特徴とする。
【発明の効果】
【００１３】
本発明によれば、制御部は、非加湿運転時に、気化フィルタの折り線が給水トレイ内の水面と平行な状態となる位置で気化フィルタを停止するよう制御するため、フィルタ面積に対する湿潤面積の割合が小さくなって、非加湿運転時における加湿、あるいは雑菌やカビなどの繁殖を抑えることができる。また、フィルタ面積を縮小しないため高い加湿効率が得られると共に、低コストで構成可能な加湿装置が得られるという効果を奏する。
【図面の簡単な説明】
【００１４】
【図１】図１は、本実施例にかかる加湿装置内に気化フィルタを収容した気化フィルタ収容器と給水トレイを設置した状態を示す内部断面図である。
【図２】図２は、本実施例にかかる加湿装置を構成する主要ブロック図である。
【図３】図３は、図１の加湿装置から取り外した給水トレイと気化フィルタ収容器の斜視図である。
【図４】図４は、図３の給水トレイから気化フィルタを取り外した状態を示す斜視図である。
【図５】図５は、図４の気化フィルタ収容器の内部構成と気化フィルタの収容手順を示す斜視図である。
【図６】図６は、図４の気化フィルタ収容器の回転軸とそれを回転可能に支持する軸受支持部に設けた位置決め機構の一構成例の説明図である。
【図７−１】図７−１は、加湿運転時に図６の回転軸を順方向回転させる場合の位置決め機構の動作説明図である。
【図７−２】図７−２は、非加湿運転時に図６の回転軸を逆方向回転させる場合の位置決め機構の動作説明図である。
【図８−１】図８−１は、本実施例の非加湿運転時に停止させる気化フィルタの停止位置を示す斜視図である。
【図８−２】図８−２は、図８−１のＸ−Ｘ線断面図である。
【図９】図９は、本実施例にかかる加湿装置の動作を説明するフローチャートである。
【図１０−１】図１０−１は、シート材を蛇腹状に折り重ねる前の気化フィルタの全体構成図である。
【図１０−２】図１０−２は、図１０−１の気化フィルタに施した非湿潤加工の部分拡大図である。
【図１１−１】図１１−１は、シート材を蛇腹状に折り重ねて円板状にした気化フィルタの折り線が垂直方向で停止した場合の水の吸い上げ範囲例を示す図である。
【図１１−２】図１１−２は、図１１−１のＹ−Ｙ線断面図である。
【発明を実施するための形態】
【００１５】
以下に、本発明にかかる加湿装置の実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。また、この実施例に記載された複数の変形例は、当業者自明の範囲内にて任意に組み合わせが可能である。
【実施例１】
【００１６】
まず、加湿装置の内部構成について説明する。図１は、本実施例にかかる加湿装置内に気化フィルタを収容した気化フィルタ収容器と給水トレイを設置した状態を示す内部断面図であり、図２は、本実施例にかかる加湿装置を構成する主要ブロック図であり、図３は、図１の加湿装置から取り外した給水トレイと気化フィルタ収容器の斜視図であり、図４は、図３の給水トレイから気化フィルタを取り外した状態を示す斜視図であり、図５は、図４の気化フィルタ収容器の内部構成と気化フィルタの収容手順を示す斜視図であり、図６は、図４の気化フィルタ収容器の回転軸とそれを回転可能に支持する軸受支持部に設けた位置決め機構の一構成例の説明図であり、図７−１は、加湿運転時に図６の回転軸を順方向回転させる場合の位置決め機構の動作説明図であり、図７−２は、非加湿運転時に図６の回転軸を逆方向回転させる場合の位置決め機構の動作説明図であり、図８−１は、本実施例の非加湿運転時に停止させる気化フィルタの停止位置を示す斜視図であり、図８−２は、図８−１のＸ−Ｘ線断面図である。
【００１７】
加湿装置３０は、湿潤した気化フィルタを用いて空気を加湿する加湿機能（加湿運転時）と、加湿機能の停止、あるいは乾燥した気化フィルタを用いて空気を加湿せずに送風のみを行う送風機能（非加湿運転時）とを備えている。本実施例の特徴は、非加湿運転時に気化フィルタを所定の位置で停止させるように制御する点にあるため、以下では、加湿運転時と、非加湿運転時との２つの場合について説明する。
【００１８】
この加湿装置３０は、図１に示すように、合成樹脂パネルで成形された直方体状の筐体で構成されている。気化フィルタ１０は、シート材を蛇腹状に折り重ねた円板状に形成されている。気化フィルタ１０は、その一部が水を貯留した給水トレイに浸漬されている。不図示の吸込口から筐体内部に導入された空気は、気化フィルタ１０の中を図１の奥側から手前方向に向かって通過する際に、シート材に含まれる水分が気化して空気を加湿する。図１の気化フィルタ１０の奥行き方向手前側には、不図示の送風ファンが配置され、図２に示すファンモータ２１によって回転させることで上記空気の流れを作り出している。気化フィルタ１０を通過した加湿された空気は、送風ファンを経由して、不図示の吹出口から筐体外部に吹き出される。
【００１９】
また、図１に示すように、加湿装置３０の気化フィルタ１０は、合成樹脂で形成された気化フィルタ収容器１１に収容保持されている。この気化フィルタ収容器１１の外周部には、回転用の回転ギア１３が形成され、この回転ギア１３と駆動ギア１８とが噛合している。駆動ギア１８は、フィルタ回転モータ１９により、順方向と逆方向に回転可能に構成されている。気化フィルタ収容器１１の回転中心に回転軸１２が設けられ、この回転軸１２は、軸受支持部１４により回転可能に支持されている。軸受支持部１４は、給水トレイ１５に設けられており、気化フィルタ収容器１１の一部が給水トレイ１５内の水１６に浸漬された状態で回転可能に支持されている。給水トレイ１５に隣接して設けられた給水タンク保持部１７は、給水トレイ１５に対して常に一定の水位Ｌを保ちながら水１６を供給する不図示の給水タンクを立てた状態で保持するものである。
【００２０】
図１に示す加湿装置３０は、図２に示すように、加湿装置を操作する操作パネル２０、時間の経過を計るタイマ２２、室内温度を検知するサーミスタなどの温度センサ２３、室内湿度を検知する湿度センサ２４、給水トレイ１５の水位レベルを検知して給水タンクの補給時期を知らせる水位センサ２５、室温に応じた目標湿度や運転停止前の運転モードなどの種々のデータやパラメータあるいはプログラムを記憶するメモリ、および、上記各部と接続され、操作パネル２０から入力される操作コマンドに従って各部の動作を制御する制御部２７を備えている。
【００２１】
気化フィルタ収容器１１の外周部には、図３に示すように、回転用の回転ギア１３と併設された水汲みポケット４０が所定間隔毎に配置されており、加湿運転時に気化フィルタ収容器１１を一方向に回転させることにより、給水トレイ１５内の水を各水汲みポケット４０が汲み上げ、気化フィルタ１０の頂点付近で落とすことで効率良くフィルタを湿潤させることができる。不図示の送風機のファンモータ２１を回転させると、筐体の吸込口から流入した室内空気（白抜き矢印Ａ）が湿潤した気化フィルタ１０の間を通過する際に、気化して加湿され、湿度の高い空気となって（白抜き矢印Ｂ）吹出口から筐体外部に吹き出される。なお、本実施例では、水汲みポケット４０を設けた気化フィルタ収容器１１を用いているが、この水汲みポケット４０は本発明では必須要件でないため、無くても実施することは可能である。
【００２２】
気化フィルタ収容器１１は、図３および図４に示すように、給水トレイ１５に設けられた軸受支持部１４、１４によって気化フィルタ収容器１１の回転軸１２が回転可能に支持されている。この気化フィルタ収容器１１は、図５に示すように、補強用の桟１１ａが回転軸１２を支えるように放射状に伸びており、その桟１１ａによってシート材を蛇腹状に折り重ねた気化フィルタ１０を保持している。本実施例では、この桟１１ａに沿って板状のリブ１１ｂを立てて配置している。このリブ１１ｂは、気化フィルタ１０の折り線１０ａに沿って差し込むことにより、気化フィルタ１０を気化フィルタ収容器１１に装着することが可能となる。つまり、リブ１１ｂは、気化フィルタ収容器１１に対して、気化フィルタ１０の折り線１０ａの方向が常に一定となるように位置決めした状態で装着できるようにするものである。
【００２３】
このように、気化フィルタ収容器１１に気化フィルタ１０を装着すると、気化フィルタ収容器１１に対して気化フィルタ１０の折り線１０ａが常に一定方向を向くようになっている。
【００２４】
次に、加湿運転停止時に気化フィルタを所定の位置で停止させるための位置決め機構について説明する。図６に示すように、気化フィルタ収容器１１の回転軸１２の外周部には段差部１２ａを形成すると共に、軸受支持部１４の内周部にも段差部１４ａを形成している。本実施例では、気化フィルタ１０の停止位置を位置決めする位置決め機構を、回転軸１２の段差部１２ａと、軸受支持部１４の段差部１４ａとにより構成している。
【００２５】
この図６に示す位置決め機構は、図７−１に示すように、回転中心１２ｂを中心として回転軸１２を矢印Ｃに示す順方向に回転させると、回転軸１２が１回転する度に段差部１２ａと段差部１４ａとがお互いの段差を乗り越えるだけで、ロックしない。本明細書中では、この矢印Ｃ方向に気化フィルタ収容器１１を回転させるフィルタ回転モータ１９の回転方向を順方向回転と定義する。この図７−１に示すフィルタ回転モータ１９の順方向回転時は、気化フィルタ１０の一部が給水トレイ１５の水１６の一部に浸漬された状態で回転し続けるため、気化フィルタ１０の毛細管現象により気化フィルタ１０の外周部から水が吸い上げられるため、フィルタ全体を湿潤させることができる。さらに、本実施例では、気化フィルタ収容器１１の外周部に水汲みポケット４０が設けられているため、フィルタ全体をより効率良く湿潤させることができる。
【００２６】
また、図６に示す位置決め機構は、図７−２に示すように、回転中心１２ｂを中心として回転軸１２を矢印Ｄに示す逆方向に回転させると、回転軸１２の段差部１２ａと軸受支持部１４の段差部１４ａとが１回転以内に段差部１２ａと段差部１４ａとが噛み合ってロックする。本明細書中では、この矢印Ｄ方向に気化フィルタ収容器１１を回転させるフィルタ回転モータ１９の回転方向を逆方向回転と定義する。フィルタ回転モータ１９の逆方向回転時は、図７−２に示すロック位置で気化フィルタ収容器１１の回転が停止するが、そのロック位置における気化フィルタ１０の向きを示したのが、図８−１および図８−２の図である。
【００２７】
段差部１４ａは軸受支持部１４の最下点に設けられており、段差部１２ａは、回転軸１２の外周部に対して１１ｂの長手方向と直交する向きに設けられている。つまり、シート材を蛇腹状に折り重ねた円板状の気化フィルタ１０の折り線１０ａが給水トレイ１５内の水面Ｌと平行となる位置で気化フィルタ１０を停止させるように図６の位置決め機構を構成する。このように構成することにより、図８−１に示す方向で気化フィルタ１０を停止させると、図８−２に示すように、毛細管現象で吸い上げられる湿潤領域（高さＴ１）１０ｄを小さくすることができる。これは、シート材の毛細管現象で吸い上げられる距離自体は、図１１−１および図１１−２と同じであるが、図８−１および図８−２の場合は、シート材を蛇腹状に折り重ねてあるため、その分高さを低く抑えることが可能となる。その結果、図８−１に示す気化フィルタ１０の停止位置では、図１１−１に示す気化フィルタ１０の停止位置と比べると、フィルタ面積全体に対する湿潤領域の面積比を非常に小さくできることがわかる。
【００２８】
次に、図２のブロック図と図９のフローチャートを用いて、本実施例にかかる加湿装置の動作を説明する。図９は、本実施例にかかる加湿装置の動作を説明するフローチャートである。
【００２９】
まず、制御部２７は、電源がＯＮされると、操作パネル２０から加湿運転を行う操作コマンドが入力されたか否かを判断する（ステップＳ１００）。加湿運転を行う操作コマンドが入力されると（ステップＳ１００でＹｅｓ）、制御部２７は、フィルタ回転モータ１９を順方向に回転させるように制御する（ステップＳ１０２）。
【００３０】
フィルタ回転モータ１９を順方向に回転させると、図７−１に示すように、気化フィルタ収容器１１の回転軸１２が矢印Ｃ方向に回転し、回転軸１２が１回転する度に段差部１２ａと段差部１４ａとがお互いの段差を乗り越えて回転し続けるため、気化フィルタ１０の一部が給水トレイ１５の水１６に浸漬された状態で回転し続け、毛細管現象により気化フィルタ１０の外周部から水が吸い上げられ、フィルタ全体を湿潤させる。この時、制御部２７は、ファンモータ２１を回転させるため、湿潤した気化フィルタ１０内を空気が通過する際に加湿され、その加湿空気が加湿装置３０から吹き出される。
【００３１】
ここで、ステップＳ１０４において、加湿運転を停止しないか、加湿中の一時的な運転停止を行わない場合は（ステップＳ１０４でＮｏ）、ステップＳ１０２に戻って加湿運転を継続する。
【００３２】
一方、ステップＳ１０４において、加湿運転を停止するか、加湿中に一時的な運転停止を行う場合は（ステップＳ１０４でＹｅｓ）、制御部２７は、フィルタ回転モータ１９を逆方向に回転させる用に制御する（ステップＳ１０６）。
【００３３】
フィルタ回転モータ１９を逆方向に回転させると、図７−２に示すように、気化フィルタ収容器１１の回転軸１２が矢印Ｄ方向に回転し、回転軸１２が１回転する前に、回転軸１２の段差部１２ａと軸受支持部１４の段差部１４ａとが噛み合ってロックされる。段差部１２ａと段差部１４ａとがロックされることで、フィルタ回転モータ１９が回転しなくなる（ロックされる）。フィルタ回転モータ１９がロックしていなければ（ステップＳ１０８でＮｏ）、制御部２７は、ステップＳ１０６に戻ってフィルタ回転モータ１９の逆方向回転を継続する。
【００３４】
また、フィルタ回転モータ１９がロックした場合は（ステップＳ１０８でＹｅｓ）、制御部２７は、フィルタ回転モータ１９を停止させる（ステップＳ１１０）。フィルタ回転モータ１９がロックした場合のモータ停止方法としては、いくつかの構成が考えられる。本実施例では、フィルタ回転モータ１９に回転数を検出する回転検出器（エンコーダ）が組み込まれたサーボモータを採用し、制御部２７は、モータがロックして回転数が０になったことがわかると、フィルタ回転モータ１９を制御して停止させる（ステップＳ１１０）。
【００３５】
上記以外の構成例としては、加湿運転停止時にフィルタ回転モータ１９を逆方向に回転する際に、制御部２７は、タイマ２２を使って気化フィルタ収容器１１の回転軸１２が一回転する時間だけフィルタ回転モータ１９を逆回転させて、その後停止させても良い（ステップＳ１１０）。この場合、気化フィルタ収容器１１の回転軸１２が一回転する間に必ずロック位置が来るため、その時間だけフィルタ回転モータ１９を逆回転させる。その際、ロック後に逆回転状態となることが考えられるが、その場合のロック時間は短く、モータへの負担も殆ど無い。
【００３６】
さらに、上記以外の構成例としては、フィルタ回転モータ１９がロックした際に、モータへ印加している電流値が高くなるため、制御部２７は、その電流値の閾値を設定しておき、その閾値を超えるとモータがロックしたと判断して、フィルタ回転モータ１９を制御して停止させても良い。
【００３７】
フィルタ回転モータ１９を停止させた後は、制御部２７は、運転を停止するか否かのコマンド有無を判断し、運転を停止させない場合は（ステップＳ１１２でＮｏ）、ステップＳ１００に戻って、上記制御処理が繰り返される。
【００３８】
また、上記ステップＳ１００において、加湿運転を行わないとする操作コマンドが入力された場合は（ステップＳ１００でＮｏ）、制御部２７は、ステップＳ１１２に移行し、運転を停止するか否かを判断する（ステップＳ１１２）。制御部２７は、運転を停止させないと判断すると（ステップＳ１１２でＮｏ）、ステップＳ１００に戻って、上記制御処理が繰り返されるが、運転を停止すると判断すると（ステップＳ１１２でＹｅｓ）、処理が終了する。
【００３９】
このように、本実施例１によれば、非加湿運転時に気化フィルタの折り線が給水トレイ内の水面と平行な状態となる位置で気化フィルタを停止させるよう制御するため、気化フィルタ全体に対する湿潤面積の割合を小さくできる。よって、非加湿運転時に加湿しないようにして雑菌やカビなどの繁殖を抑えることができる。
【００４０】
また、本実施例１によれば、気化フィルタの面積を縮小しないため、加湿運転時に高い加湿効率を得ることができる。
【００４１】
また、本実施例１によれば、気化フィルタの方向を検知してフィルタ回転モータを停止させる位置決め機構の一例として、気化フィルタ収容器の回転軸と、それを回転可能に支持する軸受支持部に段差部を設け、回転軸の回転方向によって所定位置でロックさせたり、ロックさせずに回転を継続したりする制御が可能となり、高価な位置検出センサなどを用いる必要がないため、低コストで構成することができる。
【実施例２】
【００４２】
実施例２について、図１０−１および図１０−２を用いて説明する。図１０−１は、シート材を蛇腹状に折り重ねる前の気化フィルタの全体構成図であり、図１０−２は、図１０−１の気化フィルタに施した非湿潤加工の部分拡大図である。
【００４３】
本実施例２の特徴は、上記実施例１の構成に加えて、気化フィルタ１０の停止位置において、シート材における少なくとも給水トレイ１５内の水と接する部位の近傍に、水を吸い上げ難くした非湿潤加工を施した点にある。
【００４４】
上記実施例１では、シート材を蛇腹状に折り重ねた円板状の気化フィルタ１０を、非加湿運転時に、気化フィルタ１０の折り線１０ａが給水トレイ１５内の水面Ｌと平行な状態となる位置で気化フィルタ１０を停止させるようにしている。その結果、図８−１および図８−２に示すように、気化フィルタ全体に対する湿潤領域１０ｄの割合（高さＴ１）を従来よりも大幅に少なくすることができる。しかし、シート材を蛇腹状に折り重ねているため、湿潤領域１０ｄの割合が少なくなったとしても、湿潤領域１０ｄの面積をより狭くすることが望ましい。
【００４５】
そこで、本実施例２では、シート材を蛇腹状に折り重ねた円板状の気化フィルタ１０を構成する場合、図１０−１に示すように、楕円状のシート材が用いられている。ここで、気化フィルタ１０を折り線１０ａ介して蛇腹状に折り重ねた際に、非加湿運転時に気化フィルタ１０を停止させた状態で給水トレイ１５内の水面Ｌと接する部分は、図１０−１および図１０−２に示すように、気化フィルタ１０の下端部分となる。そこで、この気化フィルタ１０の水１６と接する部分よりも上方で、かつ半径方向に直行する向きであってシート材の折り曲げ位置に沿って、所定間隔毎に毛細管現象を阻止する非湿潤加工１０ｂが施してある。非湿潤加工１０ｂの例としては、シート材に対して所定間隔毎に切れ目、孔、切欠き、あるいは毛細管現象を阻止する樹脂を用いて所定間隔毎に繊維を固める加工を施すことなどが考えられる。
【００４６】
このように、実施例２によれば、少なくとも非加湿運転時に気化フィルタ１０を停止させた状態で給水トレイ１５内の水面Ｌと接する部分に非湿潤加工１０ｂを施すことによって、図１０−２に示すように、給水トレイ１５の水１６と接する気化フィルタ１０が水を吸い上げる際に、非湿潤加工１０ｂによって水の吸い上げる範囲を限定できるため、非湿潤加工１０ｂが施されていない場合と比べると、湿潤領域１０ｄの面積を大幅に少なくすることが可能となる。
【００４７】
なお、上記実施例２では、非湿潤加工１０ｂを施す位置を、非加湿運転時に気化フィルタ１０を停止させた状態で給水トレイ１５内の水面Ｌと接する部分に限定したが、これに限らず、気化フィルタ１０の周りを全周に渡って非湿潤加工１０ｂを施したり、図１０−１の気化フィルタの下端位置と上端位置の両方に非湿潤加工１０ｂを施したりしても良い。
【産業上の利用可能性】
【００４８】
以上のように、本発明にかかる加湿装置は、加湿運転と非加湿運転とを切り替えて運転することのできる加湿装置に有用であり、特に、非加湿運転に加湿しないようにして雑菌やカビなどの繁殖を抑えることができる加湿装置に適している。
【符号の説明】
【００４９】
１０  気化フィルタ
１０ａ  折り線
１０ｂ  非湿潤加工
１０ｃ  湿潤領域
１０ｄ  湿潤領域
１０ｅ  湿潤領域
１１  気化フィルタ収容器
１１ａ  桟
１１ｂ  リブ
１２  回転軸
１２ａ  段差部
１２ｂ  回転中心
１３  回転ギア
１４  軸受支持部
１４ａ  段差部
１５  給水トレイ
１６  水
１７  給水タンク保持部
１８  駆動ギア
１９  フィルタ回転モータ
２０  操作パネル
２１  ファンモータ
２２  タイマ
２３  温度センサ
２４  湿度センサ
２５  水位センサ
２６  メモリ
２７  制御部
３０  加湿装置
４０  水汲みポケット
【図１】
2013204868.tif 000003
【図２】
2013204868.tif 000004
【図３】
2013204868.tif 000005
【図４】
2013204868.tif 000006
【図５】
2013204868.tif 000007
【図６】
2013204868.tif 000008
【図７−１】
2013204868.tif 000009
【図７−２】
2013204868.tif 000010
【図８−１】
2013204868.tif 000011
【図８−２】
2013204868.tif 000012
【図９】
2013204868.tif 000013
【図１０−１】
2013204868.tif 000014
【図１０−２】
2013204868.tif 000015
【図１１−１】
2013204868.tif 000016
【図１１−２】
2013204868.tif 000017